(57)【要約】【課題】接続された室外機のファンモータの数に関わらず、ファンモータを制御する、ことを目的とする。【解決手段】室外機制御基板２０は、室外機１２のファンモータ１４に接続可能とされ、接続されたファンモータ１４へ駆動信号を出力すると共にファンモータ１４からフィードバック信号が入力される複数のコネクタ３０を備える。そして、室外機制御基板２０は、ファンモータ１４が接続されたコネクタ３０へＦＡＮ駆動信号を出力し、ファンモータ１４から出力されるフィードバック信号の入力をコネクタ３０毎に検出する。その後、室外機制御基板２０は、ＦＡＮ駆動信号を出力してから信号入力待機の間に、フィードバック信号の入力が検出されたコネクタ３０に対し、継続してＦＡＮ駆動信号を出力し、フィードバック信号の入力が検出されなかったコネクタ３０に対し、ＦＡＮ駆動信号の出力を停止する。【選択図】図１
2013181681.tif 000002
【特許請求の範囲】
【請求項１】
室外機のファンモータに接続可能とされ、接続された該ファンモータへ駆動信号を出力すると共に該ファンモータから所定信号が入力される複数のコネクタと、
前記ファンモータから出力される前記所定信号の入力を前記コネクタ毎に検出する検出手段と、
前記複数のコネクタへ前記駆動信号を出力してから所定時間の間に前記検出手段によって前記所定信号の入力が検出された前記コネクタに対し、継続して前記駆動信号を出力し、該所定時間の間に前記検出手段によって前記所定信号の入力が検出されなかった前記コネクタに対し、前記駆動信号の出力を停止する駆動信号出力手段と、
を備えた室外機の制御基板。
【請求項２】
前記ファンモータが前記コネクタに接続される数を設定する設定手段と、
前記設定手段で設定された数の前記所定信号が入力されない場合を異常と判定し、報知手段に異常を報知させる異常判定手段と、
を備えた請求項１記載の室外機の制御基板。
【請求項３】
請求項１又は請求項２記載の室外機の制御基板が搭載され、複数の前記ファンモータが接続可能とされている空気調和機の制御装置。
【請求項４】
前記制御基板は、着脱可能とされている請求項３記載の空気調和機の制御装置。
【請求項５】
室外機のファンモータに接続可能とされ、接続された該ファンモータへ駆動信号を出力すると共に該ファンモータから所定信号が入力される複数のコネクタへ前記駆動信号を出力する第１工程と、
前記ファンモータから出力される前記所定信号の入力を前記コネクタ毎に検出する第２工程と、
前記駆動信号を出力してから所定時間の間に、前記所定信号の入力が検出された前記コネクタに対し、継続して前記駆動信号を出力し、前記所定信号の入力が検出されなかった前記コネクタに対し、前記駆動信号の出力を停止する第３工程と、
を含む室外機への駆動信号出力方法。
【発明の詳細な説明】
【技術分野】
【０００１】
本発明は、室外機の制御基板、空気調和機の制御装置、及び室外機への駆動信号出力方法に関するものである。
【背景技術】
【０００２】
空気調和機は、主に室内機、室外機、及び制御装置で構成され、各々が接続関係にある。そして、各々の接続するにあたり、接続ミスが生じる場合がある。
例えば、特許文献１には、空気調和機のメンテナンス時等にサブ基板を交換する場合、他機種のサブ基板が制御基板に装着され、装着されたまま空調運転が行われることを防止する技術が記載されている。
【先行技術文献】
【特許文献】
【０００３】
【特許文献１】特許第４５４０５４８号公報
【発明の概要】
【発明が解決しようとする課題】
【０００４】
また、特許文献１に記載のような制御基板に他機種の基板を装着する接続ミスの他に、空気調和機の制御装置に対して、制御基板とファンモータとの接続ミスもありえる。
例えば、従来、１つのファンモータを備える室外機（以下、「１ＦＡＮ機」という。）を制御する制御基板（以下、「１ＦＡＮ機用基板」という。）は、ファンモータに接続されるコネクタを１つ有している。一方、２つのファンモータを備える室外機（以下、「２ＦＡＮ機」という。）を制御する制御基板（以下、「２ＦＡＮ機用基板」という。）は、ファンモータに接続されるコネクタを２つ有している。
【０００５】
ここで、２ＦＡＮ機用基板は、ディップスイッチ等により１ＦＡＮ機用に設定可能とされるものがある。この場合、所定コネクタにファンモータが接続されると、制御装置は、接続されたファンモータを正常に制御するが、該所定コネクタとは異なる他のコネクタにファンモータが接続されると、接続されたファンモータを正常に制御できなかった。また、従来の２ＦＡＮ機用基板は、１ＦＡＮ機用に設定したままで２つのファンモータを接続した場合に、機種の設定異常が検出できず、２ＦＡＮ機を正常に制御できなかった。
そこで、ファンモータの接続ミスを防止するために、１ＦＡＮ機の制御に用いられる制御基板は１ＦＡＮ機用基板とし、２ＦＡＮ機の制御に用いられる制御基板は２ＦＡＮ機用基板とするように、制御対象とするファンモータの数に応じて、異なる制御基板が用いられていた。このため、制御基板の故障時に交換するための補機用基板も、２種類用意する必要があった。
【０００６】
本発明は、このような事情に鑑みてなされたものであって、接続された室外機のファンモータの数に関わらず、ファンモータを制御できる、室外機の制御基板、空気調和機の制御装置、及び室外機への駆動信号出力方法を提供することを目的とする。
【課題を解決するための手段】
【０００７】
上記課題を解決するために、本発明の室外機の制御基板、空気調和機の制御装置、及び室外機への駆動信号出力方法は以下の手段を採用する。
【０００８】
本発明の第一態様に係る室外機の制御基板は、室外機のファンモータに接続可能とされ、接続された該ファンモータへ駆動信号を出力すると共に該ファンモータから所定信号が入力される複数のコネクタと、前記ファンモータから出力される前記所定信号の入力を前記コネクタ毎に検出する検出手段と、前記複数のコネクタへ前記駆動信号を出力してから所定時間の間に前記検出手段によって前記所定信号の入力が検出された前記コネクタに対し、継続して前記駆動信号を出力し、該所定時間の間に前記検出手段によって前記所定信号の入力が検出されなかった前記コネクタに対し、前記駆動信号の出力を停止する駆動信号出力手段と、を備える。
【０００９】
本構成によれば、室外機のファンモータに接続可能とされ、接続された該ファンモータへ駆動信号を出力すると共に該ファンモータから所定信号が入力される複数のコネクタへ、駆動信号出力手段から駆動信号が出力される。コネクタを介して駆動信号が入力されたファンモータは、ファンを駆動させる。
【００１０】
駆動信号出力手段は、ファンモータが接続されていないコネクタに対しても、駆動信号を出力することとなる。
そこで、検出手段によって、ファンモータから出力される所定信号の入力がコネクタ毎に検出される。そして、駆動信号出力手段は、駆動信号を出力してから所定時間の間に検出手段によって所定信号の入力が検出されたコネクタに対し、継続して駆動信号を出力し、該所定時間の間に検出手段によってファンモータから所定信号の入力が検出されなかったコネクタに対し、駆動信号の出力を停止する。
【００１１】
このように、本構成は、ファンモータが接続されたコネクタに対して、駆動信号を出力し続ける一方、ファンモータが接続されていないコネクタに対しては、駆動信号の出力を停止するので、接続された室外機のファンモータの数に関わらず、ファンモータを制御できる。
【００１２】
上記第一態様では、前記ファンモータが前記コネクタに接続される数を設定する設定手段と、前記設定手段で設定された数の前記所定信号が入力されない場合を異常と判定し、報知手段に異常を報知させる異常判定手段と、を備えることが好ましい。
【００１３】
本構成によれば、設定手段によって、ファンモータがコネクタに接続される数が設定される。この設定は、例えばディップスイッチによって行われる。そして、設定手段で設定された数の所定信号がファンモータから入力されない場合、異常判定手段によって異常と判定され、報知手段に異常が報知される。報知手段は、例えばリモコンの表示部である。
従って、本構成は、ファンモータへの接続異常の有無が簡易に識別可能である。
【００１４】
本発明の第二態様に係る空気調和機の制御装置は、上記記載の室外機の制御基板が搭載され、複数の前記ファンモータが接続可能とされている。
【００１５】
上記第二態様では、前記制御基板が、着脱可能とされている。
【００１６】
本構成によれば、制御基板が空気調和機の制御装置に対して着脱可能とされているので、制御基板が故障した場合であっても、簡易に制御基板を交換することができる。また、接続されるファンモータの数に関わらず同一の制御基板を補用品基板とすることができる。
【００１７】
本発明の第三態様に係る室外機への駆動信号出力方法は、室外機のファンモータに接続可能とされ、接続された該ファンモータへ駆動信号を出力すると共に該ファンモータから所定信号が入力される複数のコネクタへ前記駆動信号を出力する第１工程と、前記ファンモータから出力される前記所定信号の入力を前記コネクタ毎に検出する第２工程と、前記駆動信号を出力してから所定時間の間に、前記所定信号の入力が検出された前記コネクタに対し、継続して前記駆動信号を出力し、前記所定信号の入力が検出されなかった前記コネクタに対し、前記駆動信号の出力を停止する第３工程と、を含む。
【発明の効果】
【００１８】
本発明によれば、接続された室外機のファンモータの数に関わらず、ファンモータを制御できる、という優れた効果を有する。
【図面の簡単な説明】
【００１９】
【図１】本発明の実施形態に係る空調機制御装置における室外機の制御に関する機能を示す機能ブロック図である。
【図２】本発明の実施形態に係るＦＡＮ駆動信号出力処理の流れを示すフローチャートである。
【図３】本発明の実施形態に係る空調機制御装置に２ＦＡＮ機が接続されている状態を示す図である。
【発明を実施するための形態】
【００２０】
以下に、本発明に係る室外機の制御基板、空気調和機の制御装置、及び室外機への駆動信号出力方法の一実施形態について、図面を参照して説明する。
【００２１】
図１は、本実施形態に係る空気調和機の制御装置（以下、「空調機制御装置」という。）１０における室外機１２の制御に関する構成図である。なお、図１は一例として空調機制御装置１０に室外機１２としてファン（不図示）を１つ備える１ＦＡＮ機が接続されている状態を示している。ファンは、対応するファンモータ１４の回転軸に連結されて回転する。
なお、後述する図３は、空調機制御装置１０に室外機１２としてファンモータ１４を２つ備える２ＦＡＮ機が接続されている状態を示している。図１，３では、空気調和機を構成する室内機及び室内機の制御に関する構成の図示は省略する。
【００２２】
ファンモータ１４は、コネクタ１６を介して空調機制御装置１０に接続され、コネクタ１６を介して入力されたＦＡＮ駆動信号に基づいてファンモータ１４を駆動させ、ファンを回転させる。なお、ファンモータ１４は、ＦＡＮ駆動信号が入力されるとコネクタ１６を介して、ファンモータ１４の回転数を示すフィードバック信号を空調機制御装置１０へ出力する。
【００２３】
空調機制御装置１０は、着脱可能とされている室外機制御基板２０が搭載されている。室外機制御基板２０を空調機制御装置１０に着脱させる機構は、従来既知の機構でよく、限定されない。
空調機制御装置１０は、一例として別の場所に設置されたコントローラ（以下、「リモコン」という。）２２を介して、作業者やユーザ等により制御指示が入力される。リモコン２２は、作業者やユーザからの指示を受け付ける各種スイッチ２４及び各種情報を報知するための表示部２６を備える。
【００２４】
室外機制御基板２０は、コネクタ３０−１，３０−２、フィードバック信号検出部３２、ＦＡＮ駆動信号出力部３４、機種設定部３６、及び異常判定部３８を備える。
【００２５】
コネクタ３０−１，３０−２は、ファンモータ１４のコネクタ１６が着脱可能とされることによって、ファンモータ１４に接続可能とされ、接続されたファンモータ１４へＦＡＮ駆動信号を出力すると共にファンモータ１４からフィードバック信号が入力される。
なお、以下の説明において、各コネクタ３０−１，３０−２を区別する場合は、符号の末尾に「−１」又は「−２」を付し、各コネクタ３０−１，３０−２を区別しない場合は、「−１」及び「−２」を省略する。
【００２６】
フィードバック信号検出部３２は、ファンモータ１４から出力されるフィードバック信号の入力をコネクタ３０毎に検出し、検出結果をＦＡＮ駆動信号出力部３４及び異常判定部３８へ出力する。
【００２７】
ＦＡＮ駆動信号出力部３４は、コネクタ３０及びコネクタ１６を介してファンモータ１４へＦＡＮ駆動信号を出力する。また、ＦＡＮ駆動信号出力部３４は、コネクタ３０へＦＡＮ駆動信号を出力してから所定時間（以下、「信号入力待機時間」という。）の間にフィードバック信号検出部３２によってフィードバック信号の入力が検出されたコネクタ３０に対し、継続してＦＡＮ駆動信号を出力する。一方、信号入力待機時間の間にフィードバック信号検出部３２によってフィードバック信号の入力が検出されなかったコネクタに対し、ＦＡＮ駆動信号出力部３４は、ＦＡＮ駆動信号の出力を停止する。
【００２８】
なお、本実施形態に係る室外機制御基板２０は、フィードバック信号検出部３２及びＦＡＮ駆動信号出力部３４をコネクタ３０毎に備える。
【００２９】
機種設定部３６は、ファンモータ１４がコネクタ３０毎に接続される数の設定、すなわち室外機制御基板２０に接続される室外機１２の機種の設定（以下、「機種設定」という。）を行い、設定結果である設定情報を異常判定部へ出力する。具体的には、機種設定部３６はディップスイッチを備え、接続される室外機１２がファンを一つ備えた１ＦＡＮ機であるかファンを２つ備えた２ＦＡＮ機であるかをディップスイッチによって切り替えられ、ファンモータ１４が接続される数を設定する。すなわち、室外機１２が１ＦＡＮ機の場合は、接続されるファンモータ１４の数は１つであり、室外機１２が２ＦＡＮ機の場合は、接続されるファンモータ１４の数は２つである。なお、ディップスイッチによる切り替えは、室外機制御基板２０に室外機１２が接続されるときに行われる。
【００３０】
異常判定部３８は、機種設定部３６で設定された数のフィードバック信号がフィードバック信号検出部３２から入力されていない場合を異常と判定し、リモコン２２の表示部２６に異常を報知させる。
【００３１】
なお、室外機制御基板２０は、例えば、ＣＰＵ（Central  Processing  Unit）、ＲＡＭ（Random  Access  Memory）、及びコンピュータ読み取り可能な記録媒体等から構成されている。そして、各種制御に係る機能を実現するための一連の処理は、一例として、プログラムの形式で記録媒体等に記録されており、このプログラムをＣＰＵがＲＡＭ等に読み出して、情報の加工・演算処理を実行することにより、各種制御が実現される。また、室外機制御基板２０が備える上記各機能で生成された信号等は、図１に記載されている以外の他の機能で用いられてもよい。
【００３２】
次に、本実施形態に係る室外機制御基板２０において、接続されたファンモータ１４を駆動させる場合に実行されるＦＡＮ駆動信号出力処理を図２に示されるフローチャートを参照して説明する。なお、ＦＡＮ駆動信号出力処理は、例えば、空気調和機の運転開始の指示が、ユーザや作業者によってリモコン２２を介して入力された場合に開始される。
【００３３】
まず、ステップ１００では、ＦＡＮ駆動信号出力部３４が、ＦＡＮ駆動信号をコネクタ３０へ出力する。
【００３４】
次のステップ１０２では、フィードバック信号検出部３２が、フィードバック信号を検出したか否かを判定し、肯定判定の場合は、ステップ１０８へ移行し、否定判定の場合は、ステップ１０４へ移行する。
【００３５】
ステップ１０４では、フィードバック信号検出部３２が、ＦＡＮ駆動信号が出力されてから信号入力待機時間を経過したか否かを判定し、肯定判定の場合は、ステップ１０２へ戻り、信号入力待機時間の間にフィードバック信号を検出するまでステップ１０２とステップ１０４を繰り返す。一方、ステップ１０４で否定判定となった場合は、ステップ１０６へ移行する。
ここで、一例として、信号入力待機時間は、２０秒であり、フィードバック信号を検出したと判定される場合は、フィードバック信号としてのファンモータ１４の回転数が、連続１０秒以上の間１００ｒｐｍ以上を維持した場合である。
【００３６】
ステップ１０６では、信号入力待機時間の間にフィードバック信号が室外機制御基板２０に入力されなかったため、異常判定部３８が異常と判定し、ファンモータ１４の異常を示す情報をリモコン２２の表示部２６に報知させる。これにより、例えば、室外機制御基板２０に新たに室外機１２を接続した場合等に、作業者が容易にファンモータ１４の異常の有無を確認できる。なお、ステップ１０６へ移行した場合、ＦＡＮ駆動信号出力部３４は、コネクタ３０へのＦＡＮ駆動信号の出力を停止する。
【００３７】
ステップ１０２で肯定判定となった場合に移行するステップ１０８では、フィードバック信号検出部３２が、全てのコネクタ３０からフィードバック信号を検出したか否かを判定し、肯定判定の場合は、ステップ１１０へ移行し、否定判定の場合は、ステップ１１４へ移行する。
【００３８】
ステップ１１０では、異常判定部３８が、入力されたフィードバック信号の数と設定情報により示される数とが同じであるか否かを判定する。ステップ１１０で肯定判定となった場合は、ファンモータ１４はコネクタ３０へ正しく接続されているため、ＦＡＮ駆動信号出力部３４は、コネクタ３０へ継続してＦＡＮ駆動信号を出力し、本処理を終了する。なお、ステップ１１０で肯定判定となる場合とは、本実施形態では、図３に示されるようにコネクタ３０−１，３０−２共に２ＦＡＮ機である室外機１２が備えるファンモータ１４が接続され、かつ設定情報が「２」を示している場合である。一方、ステップ１１０で否定判定となった場合は、ステップ１１２へ移行する。
【００３９】
ステップ１１２では、入力されたフィードバック信号の数と設定情報により示される数とが異なるため、異常判定部３８が機種設定の異常と判定し、機種設定の異常を示す情報をリモコン２２の表示部２６に報知させ、本処理を終了する。これにより、例えば、作業者が容易に機種設定の異常の有無を確認できる。ステップ１１２における機種設定の異常とは、本実施形態では、コネクタ３０−１，３０−２共にファンモータ１４が接続されているものの、設定情報が「１」を示している場合である。この場合、作業者は、機種設定部３６が備えるディップスイッチを操作することによって、機種設定を正しく設定する。
【００４０】
ステップ１０８で否定判定となった場合は、ファンモータ１４が接続されていないコネクタ３０に対しても、ＦＡＮ駆動信号が出力されている状態である。このため、ステップ１１４では、ＦＡＮ駆動信号出力部３４が、フィードバック信号を未検出のコネクタ３０へのＦＡＮ駆動信号の出力を停止する。なお、フィードバック信号が検出されたコネクタ３０へのＦＡＮ駆動信号の出力は、継続される。
【００４１】
次のステップ１１６では、異常判定部３８が、入力されたフィードバック信号の数と設定情報により示される数とが同じであるか否かを判定する。ステップ１１６で肯定判定となった場合、ＦＡＮ駆動信号出力部３４は、ファンモータ１４が接続されているコネクタ３０へ継続してＦＡＮ駆動信号を出力し、本処理を終了する。なお、ステップ１１６で肯定判定となる場合とは、本実施形態では、図１に示されるようにコネクタ３０の何れかに１ＦＡＮ機である室外機１２が備えるファンモータ１４が接続され、かつ設定情報が「１」を示している場合である。一方、ステップ１１６で否定判定となった場合は、ステップ１１８へ移行する。
【００４２】
ステップ１１８では、入力されたフィードバック信号の数と設定情報により示される数とが異なるため、異常判定部３８が機種設定の異常と判定し、機種設定の異常を示す情報をリモコン２２の表示部２６に報知させ、本処理を終了する。これにより、例えば、作業者が容易に機種設定の異常の有無を確認できる。ステップ１１２における機種設定の異常とは、本実施形態では、コネクタ３０の何れかにファンモータ１４が１つ接続されているものの、設定情報が「２」を示している場合である。この場合、作業者は、機種設定部３６が備えるディップスイッチを操作することによって、機種設定を正しく設定する。
【００４３】
以上説明したように、本実施形態に係る室外機制御基板２０は、室外機１２のファンモータ１４に接続可能とされ、接続されたファンモータ１４へ駆動信号を出力すると共にファンモータ１４からフィードバック信号が入力される複数のコネクタ３０を備える。そして、室外機制御基板２０は、ファンモータ１４が接続されたコネクタ３０へＦＡＮ駆動信号を出力し、ファンモータ１４から出力されるフィードバック信号の入力をコネクタ３０毎に検出する。その後、室外機制御基板２０は、ＦＡＮ駆動信号を出力してから信号入力待機の間に、フィードバック信号の入力が検出されたコネクタ３０に対し、継続してＦＡＮ駆動信号を出力し、フィードバック信号の入力が検出されなかったコネクタ３０に対し、ＦＡＮ駆動信号の出力を停止する。
従って、本実施形態に係る室外機制御基板２０は、ファンモータ１４が接続されたコネクタ３０に対して、ＦＡＮ駆動信号を出力し続ける一方、ファンモータ１４が接続されていないコネクタ３０に対しては、ＦＡＮ駆動信号の出力を停止するので、接続された室外機１２のファンモータ１４の数に関わらず、ファンモータ１４を制御できる。
【００４４】
また、本実施形態に係る室外機制御基板２０は、機種設定部３６によって、ファンモータ１４が接続される数を設定し、設定した数のフィードバック信号が入力されない場合を異常と判定し、報知手段であるリモコン２２の表示部２６に異常を報知させる。
従って、本実施形態に係る室外機制御基板２０は、ファンモータ１４への接続異常の有無が簡易に識別可能である。
【００４５】
また、本実施形態に係る室外機制御基板２０は、空調機制御装置１０に対して着脱可能とされているので、故障した場合であっても、簡易に交換することができる。また、接続されるファンモータ１４の数に関わらず同一の室外機制御基板２０を補用品基板とすることができる。
【００４６】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【００４７】
例えば、上記実施形態では、室外機制御基板２０に接続可能なファンモータ１４が２つとされる形態について説明したが、本発明は、これに限定されるものではなく、室外機制御基板２０に接続可能なファンモータ１４が３つ以上とされる形態としてもよい。
【００４８】
また、上記実施形態では、室外機制御基板２０は、フィードバック信号検出部３２及びＦＡＮ駆動信号出力部３４をコネクタ３０毎に備える形態について説明したが、本発明は、これに限定されるものではなく、室外機制御基板２０は、複数のコネクタ３０に共通のフィードバック信号検出部３２及びＦＡＮ駆動信号出力部３４を備えてもよい。
【００４９】
また、上記実施形態では、フィードバック信号をファンモータ１４の回転数とする形態について説明したが、本発明は、これに限定されるものではなく、他の信号をフィードバック信号とする形態としてもよい。
【００５０】
また、上記実施形態では、異常判定部３８が異常と判定した場合に、報知手段としてリモコン２２の表示部２６に異常を示す情報が表示される形態について説明したが、本発明は、これに限定されるものではなく、報知手段として、音声により異常を報知する形態、空調機制御装置１０又はリモコン２２に予め設けられた点灯部（例えばＬＥＤ等）を点灯させて異常を報知する形態、空調機制御装置１０にパーソナルコンピュータ等の情報処理装置が接続されている場合には、該情報処理装置のモニタに異常を表示させると共に、異常内容等がＨＤＤ等の記憶手段に記憶させる形態としてもよい。
【００５１】
また、上記実施形態で説明したＦＡＮ駆動信号出力処理の流れも一例であり、本発明の主旨を逸脱しない範囲内において不要なステップを削除したり、新たなステップを追加したり、処理順序を入れ替えたりしてもよい。
【符号の説明】
【００５２】
１０    空調機制御装置
１２    室外機
１４    ファンモータ
２０    室外機制御基板
２２    リモコン
２６    表示部
３０    コネクタ
３２    フィードバック信号検出部
３４    ＦＡＮ駆動信号出力部
３６    機種設定部
３８    異常判定部
【図１】
2013181681.tif 000003
【図２】
2013181681.tif 000004
【図３】
2013181681.tif 000005